(57)【要約】【解決手段】  基部（１１）と支持部（１２）を有する乳児支持体（１０）が提供されている。支持部は、背もたれ（１３）と一対の側部（１５、１６）を有している。乳児支持体（１０）は、乳児（３１）を支持部に保持するための胴囲保持部材を有している。乳児支持体（１０）は、乳児（３１）が、安全に着座した状態のままで、前方及び側方を含む多くの方向に手を伸ばせるようになっている。【選択図】          図３
2008501395.tif 000002
【特許請求の範囲】
【請求項１】
基部と、前記基部から直立している支持部と、乳児／幼児を前記支持部に対して保持するための胴囲保持部材を備えている保持手段と、を備えている乳幼児支持体において、前記支持部は、或る程度の柔軟性と弾性を有し、立ち上がっている背もたれと、相対して配置されている、前記背もたれより低い側部と、を備えており、前記基部は、前記支持部の基部との接続部分を越えて横方向に伸張しており、使用時には、前記側部が、乳児／幼児の腕の下に伸張していて、或る程度の側方への寄り掛かりを許容している、乳幼児支持体。
【請求項２】
前記支持部は、平面図で略Ｕ字型であり、前記背もたれは、湾曲しており、前記２つの側部になだらかに続いている、請求項３に記載の乳幼児支持体。
【請求項３】
前記胴囲保持部材は、前記支持部のそれぞれの側部に固定されている２つの側方ストラップと、前記基部から伸張している中央ストラップと、を備えている、請求項１又は２に記載の乳幼児支持体。
【請求項４】
前記保持部材ストラップは、長さが調節可能で、解除可能なバックルを使って互いに固定されている、請求項３に記載の乳幼児支持体。
【請求項５】
前記２つの側方ストラップは、各側部を通り、立ち上がっている背もたれの後の周りを伸張し、互いに調整可能に固定されている、請求項３又は４に記載の乳幼児支持体。
【請求項６】
前記背もたれの内側表面は、なだらかに湾曲して前記乳幼児支持体の基部と交わっている、請求項１から５の何れかに記載の乳幼児支持体。
【請求項７】
前記基部には、活動／学習装置を取り付けるための手段が組み込まれている、請求項１から６の何れかに記載の乳幼児支持体。
【請求項８】
前記活動／学習装置を取り付けるための前記手段は、解除可能な留め具を備えている、請求項７に記載の乳幼児支持体。
【請求項９】
前記活動／学習装置は、プログラム可能な、又は事前にプログラムされたコンピューターディスク又はカートリッジによって制御される手段が組み込まれているキーボードとスクリーンを備えている、請求項７又は８に記載の乳幼児支持体。
【請求項１０】
前記支持部は、非剛体プラスチック、又はゴムベース材料又は発泡体で形成されている、請求項１から９の何れかに記載の乳幼児支持体。
【請求項１１】
前記支持部は、堅い芯部を有している、請求項１０に記載の乳幼児支持体。
【請求項１２】
前記基部は、基板の形態をしている、請求項１から１１の何れかに記載の乳幼児支持体。
【請求項１３】
前記支持部は、前記基板に対して解除可能に固定されている、請求項１２に記載の乳幼児支持体。
【請求項１４】
前記基板は、前記支持部を挿入する開口部を有している、請求項１３に記載の乳幼児支持体。
【請求項１５】
前記開口部は、付帯する取り囲み凹部を有しており、前記支持部の下側縁部周りには、前記凹部内に入り込むフランジが設けられている、請求項１４に記載の乳幼児支持体。
【請求項１６】
前記側部の高さは、前記背もたれの高さの１／３から２／３の範囲内にある、請求項１から１５の何れかに記載の乳幼児支持体。
【発明の詳細な説明】
【技術分野】
【０００１】
本発明は、乳幼児支持体に関する。
【背景技術】
【０００２】
乳児は、成長すると、着座姿勢を取ることができるようになる。しかしながら、一旦は着座姿勢を取っても、乳児は、最初は不安定であり、前方又は後方に倒れるか、又は側方に転び易い。これは、乳児を傷つけ、乳児と親又は保護者の両方にとって悩みの原因となりうる。成長のこの段階では、親／保護者は、乳児を良好な状態に確実に保つため、たいていは過剰なまでに気を配る必要がある。乳児は、成長のこの段階では、じっと座っているのは稀で、通例、玩具や別の物体又は人に手を伸ばそうとするので、状況は更に難しくなる。
【発明の開示】
【課題を解決するための手段】
【０００３】
本発明によれば、基部と、基部から直立している支持部と、乳児／幼児を支持部に対して保持するための保持手段と、を備えた乳幼児支持体が提供されており、当該支持部は、或る程度の柔軟性と弾性を有し、立ち上がった背もたれと、相対して配置され背もたれより低い側部と、を備えており、当該基部は、支持部の基部との接続部分を越えて横方向に伸張しており、使用時に、当該側部は、乳児／幼児の腕の下に伸張していて、或る程度は側方へ寄り掛かれるようになっており、保持手段は、胴囲保持部材を備えている。
【０００４】
好適な例では、基部は、基板の形態をしている。通常、支持部は、平面図で略Ｕ字型であり、背もたれは、湾曲しており、２つの側部になだらかに続いている。背もたれは、２つの側部より高く伸張しているのが理想的である。
【０００５】
当該保持手段が保持部材を備えているのが好ましい特徴である。通常、保持部材は、支持部の各側部に固定されている２つの側方ストラップと、基部から伸張している中央ストラップと、を備えている。保持部材ストラップは、長さが調節可能で、解除可能なバックルを使って互いに固定されているのが望ましい。更に好ましい特徴は、背もたれの内側表面が、支持体の基部と交わるようになだらかに湾曲していることである。
【０００６】
例によっては、基部に、活動／学習装置を取り付けるための手段が組み込まれているものがある。活動／学習装置を取り付けるための手段は、解除可能な留め具を備えているのが望ましい。或る実施形態では、活動／学習装置は、プログラム可能な又は事前プログラム済みのコンピューターディスク又はカートリッジによって制御される手段を組み込んでいるキーワードとスクリーンを備えている。
【０００７】
或る実施形態では、支持部は、非剛体プラスチック又はゴムベースの材料で形成されている。例によっては、支持部は、堅い芯を有している。
【０００８】
支持部は、恐らくは適した留め具を使って、基部に解除可能に固定されているのが望ましい。
【発明を実施するための最良の形態】
【０００９】
本発明の実施形態について、以下、更に詳細に説明する。説明に際して、添付図面を参照する。
【００１０】
図面では、基板１１と、そこに取り付けられている支持部１２と、を備えた乳児支持体１０を示している。基板１１は、硬質プラスチック材料で形成されているが、木材の様な別の材料を使用することもできる。基板１１は、この実施形態では、略ハート型であるが、他の形状であってもよい。
【００１１】
支持部１２は、略Ｕ字型で、基板１１に固定されている。基板１１への取付様式は、固定取付であってもよいし、ねじ又は留め具（図３に３０で示している）の様な解除可能な手段を使って、支持部１２を基板１１に取り外し可能に取り付けてもよい。支持部１２は、乳児３１の背中がぴったりと嵌るように平面図では湾曲しており、乳児が基板１１上に着座したときに、乳児が後方に倒れないように乳児の肩甲骨領域当たりまで上向きに伸張している背もたれ１３を有している。背もたれ１３は、或る実施形態では、乳児の頭／首を支持するために、乳児の頭／首の後ろに、より高く伸張している。これは、乳児が疲れて眠った場合に有用である。勿論、背もたれ１３が乳児に対して到達できる高さは、乳児の大きさによって異なる。この特定の実施形態の背もたれ１３の内側表面は、乳児に快適性と支持機能を提供するために基板１１と交わる場所１４でなだらかに湾曲しているが、背もたれ１３と基板１１との接合部は、（図３に示しているように）もっと切り立っていてもよい。
【００１２】
背もたれ１３は、低くなっている２つの側部１５、１６に向かって下向きに傾斜している。側部は、側部が乳児の腕の下に伸張するように、背もたれ１３の高さの１／３と２／３の間にあるのが理想的であり、約半分の高さであるのが望ましい。側部１５、１６は、乳児が側方に傾こうとするときに乳児を側方から支持する。各側部１５、１６には、拘束保持部材１９の一部を形成する側方ストラップ１７、１８が取り付けられている。中央ストラップ２０も備えられており、３つのストラップ１７、１８、２０は、適したバックル器具２１を使って、解除可能に一体に固定することができる。ストラップ１７、１８、２０は、様々な大きさの乳児を快適に収容できるように、長さが調節できるのが理想的である。図示の実施形態では、中央ストラップ２０は、基板１１を貫通して伸張しており、洗濯の様な選択された目的のために取り外せるようになっている。
【００１３】
支持部１２は、柔軟性のある弾性材料で形成されているのが理想的である。開放気泡発泡材の様な或る種の発泡材も適している。材料は、乳児が動くことができるほどの柔軟性を持っているが、乳児の体重によって簡単に崩れることのない、柔らかな感触のプラスチック材料又はゴムベースの材料であるのが好ましい。また、材料には弾力性があるので、撓んだ後でも元の形状に戻る。例えば、適切な反発特性を有するラテックス発泡材も適しているが、的確な材料は設計上の選定事項である。プラスチック又はゴムベース材料の柔らかな感触は、誰かが支持部１２に倒れ込んだ場合にも損傷を与え難い。全ての材料を簡単に拭き掃除できるのが理想的である。支持部に、取り外して洗濯できるカバーを設けることも考えられる。支持部は、強度を提供するために硬い芯部を有していて、なお且つ支
持部１２に不可欠な柔軟性と剛性を提供することも考えられる。
【００１４】
乳児は、着座することを学習しても、じっと座っていることは滅多に無く、特に（玩具又は他の物体の様な）何か又は誰かが乳児の注意を惹くときには、上体をあらゆる方向に曲げようとする。乳児が、やっと助けが無くても着座できるようになったときには、その様な上体を曲げる動作の結果、乳児が落ちてしまうこともあり、これは、乳児の怪我、苦痛、及び欲求不満に繋がり、勿論、親又は保護者にとっても苦痛なこととなりうる。
【００１５】
乳児支持体1０を使用する際には、乳児は、支持部１２内に配置され、保持部材１９を使ってそこに保持される。従って、乳児は、支持部１２と保持部材１９によって着座部に支持され、乳児の腕の下には側部１５、１６が伸張している。乳児が上体を前方に曲げると、保持部材は、乳児を支持し、側部１５、１６を内向きに引っ張って、乳児の側面を掴む。乳児が上体を後ろに反らすと、背もたれ１３は、或る程度の動きは許容するが、最終的には乳児を拘束し、この動きは、再び、側部１５、１６を内向きに引っ張って乳児の側面を掴むことになる。側方への動きも、同様に或る程度は許容されるが、最終的には側部１５、１６によって拘束される。支持部１２を取り囲んでいる基板１１の周縁部は、乳児が乳児支持体１０をなかなかひっくり返せないようにすることによって、乳児支持体１０を安定させる働きをしている。乳児が危険の少ない環境にあるので、厳しく監視する必要が少なく、親／保護者は、背を向けている間も安心である。
【００１６】
図４では、基板１１に固定することのできる活動／学習装置４０を示している。取付具は、理想的には取り外し可能であり、留め具、吸着キャップ、ボルト、又は何らかの他の適した手段、恐らくは組み合わせで構成されている。図示の例では、装置は、基板１１に設けられた間隔を空けて配置されている穴４２に差し込んで留める、間隔を空けて配置されている脚４１を有している。活動／学習装置の的確な性質は、設計上の選定事項であるが、キーボード４３とスクリーン４４、形状選別器、ビードコースター、又は乳児の敏捷さ、認識、学習、又は楽しみを改善するための何らかの他の装置が含まれる。キーボード４３とスクリーン４４は、コンピューターディスク又はカートリッジ、ＣＤ、ＤＶＤの様なプログラム可能な及び／又は事前にプログラムされた手段を使って制御することもできる。従って、学習／遊戯タスクの複雑さは、年齢及び／又は発達に従って変えることもできる。活動／学習装置４０は、乳児の正面に配置されており、乳児の側部周りに伸張させることもできる。
【００１７】
図５から図７は、先に述べた実施形態と多くの点で同様の、代わりの乳児支持体を示している。従って、類似の構成要素には、同じ参照番号を付している。基板１１は、下側に取り囲み凹部５１を有するＵ字型開口部５０を備えて形成されている。支持部１２は、平面図で略Ｕ字型であり、背もたれ１３と、側部１５、１６とを有し、下側縁部周りにはフランジ５２が設けられている。支持部１２は、フランジ５２が凹部５１内に収まるように、基部１１の開口部５０に挿入される。これは、図７にはっきり示されている。従って、支持部１２は、洗浄又は交換のために容易に取り外すことができる。支持部１２を正しい位置に保持するため、追加の締結具を設けてもよい。
【００１８】
基部１１にはストラップ受け入れ穴５３もあり、この穴にも、取り囲み凹部５４が設けられている。保持部材の中央ストラップ２０は、穴５３に挿入され、中央ストラップ２０の一端に取り付けられている保持プレート（図示せず）が、凹部５４内に入り込む。
【００１９】
図７は、更に、拘束保持部材１９の基本装備の胴囲ストラップ１７、１８に取り付けることのできる追加の肩／身体保持部材５５を示している。更に、中央ストラップ２０の周りに保持され、例えば、ＶＥＬＣＲＯ式の締結具で基部に固定することのできる、随意の座席クッション５６も示している。
【００２０】
図６に示すように、各側部１５、１６には、側方ストラップ１７、１８を通すためのスロット５７が形成されている。側方ストラップは、背もたれ１３の後に回して、互いに調節可能に固定される。側方ストラップを適正に保持するため、適切なストラップ保持ループが、支持部１２に設けられている。
【００２１】
特に好適な配置では、背もたれ１３の高さは、基部１１の上方約３００ｍｍであり、側部１５、１６の高さは、基部１１の上方約１５０ｍｍである。
【００２２】
乳児支持体の正確な構造と、使用する材料の種類及び構成要素の正確な形状には、変更を加えることができるものと理解されたい。例えば、Ｕ字型の両端（平面図）は、乳児の周りへの支持部の嵌り具合を改良するために、側部１５、１６の前端部が、互いに向かって僅かに内向きになるように修正してもよい。
【図面の簡単な説明】
【００２３】
【図１】本発明による乳児支持体の平面図である。
【図２】図１の乳児支持体の側面図である。
【図３】図１及び図２に示しているのと同様の乳児支持体に着座している乳児の側面図である。
【図４】図面に示している乳児支持体に取り付ける学習装置の平面図である。
【図５】本発明による代わりの乳児支持体の基板の下面図である。
【図６】図５の基部と共に使用する支持部の側面図である。
【図７】組み立てられた代わりの乳児支持体の一部断面正面図である。
【図１】
2008501395.tif 000003
【図２】
2008501395.tif 000004
【図３】
2008501395.tif 000005
【図４】
2008501395.tif 000006
【図５】
2008501395.tif 000007
【図６】
2008501395.tif 000008
【図７】
2008501395.tif 000009
【国際調査報告】
2008501395.tif 000010
2008501395.tif 000011
2008501395.tif 000012